(57)【要約】【課題】  伝送信号生成装置にあって、ＡＤＣや符号化器を変更する毎に復号時間情報のずれを手動で調整することなく、伝送信号受信装置において多重化信号を復調したときに、ビデオ信号とオーディオ信号に時間的ずれを生じさせない。【解決手段】  伝送信号生成装置１は、切り替えスイッチ３及び切り替えスイッチ７が切り替えられ、かつ多重化器１０からの所定タイミングによってオーディオ出力部１２及びビデオ出力部１５が所定のオーディオ信号及びビデオ信号を出力することによって、変化点が同一のアナログオーディオ信号とアナログビデオ信号を、スピーカ１３及びマイクロホン１４、発光部１６及びカメラ１７が入力する。この変化点が同一のアナログオーディオ信号とアナログビデオ信号を用いて、復号時間情報のずれを自動調整する。【選択図】  図１
2005323303.tif 000002
【特許請求の範囲】
【請求項１】
第１のアナログ信号を第１のデジタル信号に変換する第１のアナログ／デジタル変換手段と、
上記第１のデジタル信号出力に符号化処理を施して第１の符号化データを生成する第１の符号化手段と、
上記第１のアナログ信号とは種類が異なる第２のアナログ信号を第２のデジタル信号に変換する第２のアナログ／デジタル変換手段と、
上記第２のデジタル信号出力に符号化処理を施して第２の符号化データを生成する第２の符号化手段と、
上記第１の符号化手段からの第１の符号化データと上記第２の符号化手段からの第２の符号化データとを多重化する多重化手段とを備え、
上記第１のアナログ／デジタル変換手段に入力した第１のアナログ信号が上記第１の符号化手段からの第１の符号化データとして上記多重化手段に入力するまでの第１の遅延時間と、上記第２のアナログ／デジタル変換手段に入力した第２のアナログ信号が上記第２の符号化手段からの第２の符号化データとして上記多重化手段に入力するまでの第２の遅延時間との遅延時間差に基づいて、上記多重化手段は復号時間情報のずれを自動調整することを特徴とする伝送信号生成装置。
【請求項２】
上記第１のアナログ信号と上記第２のアナログ信号は変化点が同一であり、同じタイミングで上記第１のアナログ／デジタル変換手段及び上記第２のアナログ／デジタル変換手段に入力することを特徴とする請求項１記載の伝送信号生成装置。
【請求項３】
上記第１のアナログ信号と上記第２のアナログ信号はそれぞれ固定パターン信号に同じタイミングで変化して上記第１のアナログ／デジタル変換手段及び上記第２のアナログ／デジタル変換手段に入力することを特徴とする請求項１記載の伝送信号生成装置。
【請求項４】
上記第１のアナログ信号と上記第２のアナログ信号はそれぞれ透かし信号が同じタイミングで付加されて上記第１のアナログ／デジタル変換手段及び上記第２のアナログ／デジタル変換手段に入力することを特徴とする請求項１記載の伝送信号生成装置。
【請求項５】
上記第１のアナログ信号はビデオ信号であり、上記第２のアナログ信号は上記第１のアナログ信号に関連するオーディオ信号であることを特徴とする請求項１記載の伝送信号生成装置。
【発明の詳細な説明】
【技術分野】
【０００１】
本発明は、伝送信号生成装置に関し、特にビデオ信号やオーディオ信号等を符号化した後、多重化して伝送信号を生成する伝送信号生成装置に関する。
【背景技術】
【０００２】
最近の日本国内デジタル放送形態は、ビデオ、オーディオ等を含む複数の時系列情報を多重化して放送する形態が採用されているのが現状である。
【０００３】
一般に時系列情報の多重化は、放送や通信メディアに適した国際標準方式であるＭＰＥＧ２（Moving Picture Experts Group）の規格に準拠して行われ、このＭＰＥＧ２は国際標準であるISO/IEC13818-1により規定されている。デジタル放送ではビデオの符号化方式として、通常ＭＰＥＧ２（ISO/IEC13818）方式が採用されている。
【０００４】
一般にＭＰＥＧ伝送信号生成装置では、デジタルビデオ・デジタルオーディオ信号を各符号化器により符号化し、各符号化器のＳＴＣ（基準同期情報：System Time Clock）を元に復号時間情報を付加し各符号化出力信号として出力し、これらの各符号化出力信号を多重化器により多重化し、伝送信号である多重符号化出力信号を生成する。
【０００５】
以下、上記伝送信号生成装置を構成する各符号化器と、多重化器の処理について説明する。デジタルビデオ信号用のビデオ符号化器は、デジタルビデオ信号を符号化し、ビデオストリームを生成する。このとき、上記ＳＴＣを基に、復号器側で用いられる再生出力の時刻管理情報であるＰＴＳや復号の時刻管理情報であるＤＴＳが生成され、ビデオ符号化器では、このＰＴＳやＤＴＳ等の情報とビデオストリームからＰＥＳパケットを生成する。
【０００６】
デジタルオーディオ信号用のオーディオ符号化器でも、デジタルオーディオ信号を符号化し、オーディオストリームを生成する。このとき、上記ＳＴＣを基に、復号器側で用いられるＰＴＳやＤＴＳが生成され、オーディオ符号化器では、このＰＴＳやＤＴＳ等の情報とオーディオストリームからＰＥＳパケットを生成する。
【０００７】
多重化器は、ビデオ符号化器で生成されたＰＥＳパケットと、オーディオ符号化器で生成されたＰＥＳパケットを多重化する。また、多重化器では、多重化された上記ＰＥＳパケットを分割して、上記多重化符号化出力信号（伝送信号）であるトランスポートストリームを生成する。このとき、上記ＳＴＣの基になるＰＣＲ（プログラム時刻基準参照値：Program Clock Reference）をトランスポートストリームを構成するトランスポートパケット内のアダプテーションフィールドに記述している。
【０００８】
一方、上記多重符号化出力信号（伝送信号）を受信したＭＰＥＧ伝送信号受信装置では、多重分離器により各符号化出力信号（ビデオＰＥＳパケット、オーディオＰＥＳパケット）に分離し、これらの各符号化出力信号を各復号化器のＳＴＣと符号化出力信号に付加されている復号時間情報により生成したクロックを用いて、各復号化器（ビデオ復号器、オーディオ復号器）により各々復号化しビデオオーディオ信号として出力し、これらのビデオオーディオ信号をスピーカーやテレビ等から出力する。ここで、ＭＰＥＧ伝送信号受信装置は、トランスポートパケット内のＰＣＲから符号化器側のＳＴＣを再生し、そのＳＴＣを使用している。
【０００９】
送信号生成装置側にて、上記ビデオＰＥＳパケット、オーディオＰＥＳパケットを多重化し、トランスポートストリームを構成する際に、ＰＣＲが揺らぐと伝送信号受信装置側では、上記ＳＴＣを正常に再生できなくなり、正常なビデオ、オーディオの復号ができなくなる。
【００１０】
そこで、特開平１１−４１１９３号公報では、非同期の複数トランスポートストリームＴＳの多重時に発生する遅延時間揺らぎを防止し、受信側装置を正常に動作させるための技術が開示されている。この技術は、ＰＣＲを含むパケットが入力されてから、出力されるまでの処理時間を補正し、補正ＰＣＲを求め、受信したＰＣＲを補正ＰＣＲに置換している。上記遅延時間は、カウンタで時間ずれを測定し、伝送される時間情報を補正値に置き換えている。
【００１１】
従来の伝送信号生成装置では、カメラ、マイク等から出力されたアナログビデオ・アナログオーディオ信号をそれぞれＡＤＣ（アナログ／デジタル変換器：Analog to Digital Converter)により各々ＡＤ変換（アナログ／デジタル変換）しデジタルビデオ・デジタルオーディオ信号として出力し、これらのデジタルビデオ・デジタルオーディオ信号を各符号化器にて符号化している。上記ＡＤＣではＡＤ変換のための処理時間が発生するため、ＡＤ変換遅延が生じる。このＡＤ変換遅延はＡＤＣにより異なるため、各符号化器に入力する際の各デジタルビデオ・デジタルオーディオ信号の時間にずれが生じる。このため各符号化器から出力する各符号化出力信号に付加する復号時間情報に時間的ずれが生じる。
【００１２】
また、ＭＰＥＧ２の圧縮方式では、符号化のための処理時間が掛からないという概念が根底にあるため復号時間情報を付加するタイミングはただ一点となるが、実際には各符号化器において符号化のための処理時間が発生するため、復号時間情報を符号化器にデジタルビデオ・デジタルオーディオ信号が入力された時に付加するか符号化出力信号を出力する時に付加するかは各符号化器に依存するため、符号化出力信号を出力する時に付加する符号化器においては復号時間情報に時間的ずれが生じる。このため、各復号化器で復号化する際に復号時間情報から生成するクロックに時間的ずれが生じ、ひいては各ビデオオーディオ信号に時間的ずれが生じる。
【００１３】
これらの問題点に対し、従来、伝送信号生成装置では各ＡＤＣのＡＤ変換遅延および各符号化器の符号化遅延、さらには伝送遅延に応じて、例えば多重化器の直前に遅延バッファを挿入し、遅延時間を調整すると言う手法が取られている。
【００１４】
図５において、従来の伝送信号生成装置１００は、一つの筐体１０１内に収納されている。筐体１０１には、アナログオーディオ信号Ａinの入力端子１０２が設けられている。入力端子１０２から入力したアナログオーディオ信号はＡＤＣ１０３に供給される。ＡＤＣ１０３は、アナログオーディオ信号を所定の標本化周波数により標本化してから所定のビット長に量子化し、デジタルオーディオ信号を生成する。このデジタルオーディオ信号は、符号化器１０４に供給される。符号化器１０４は、デジタルオーディオ信号をＭＰＥＧに基づいて符号化し、オーディオストリームを生成し、さらにＰＥＳパケットを生成する。
【００１５】
また、筐体１０１には、アナログビデオ信号Ｖinの入力端子１０７が設けられている。入力端子１０７から入力したアナログビデオ信号ＶinはＡＤＣ１０８に供給される。ＡＤＣ１０８は、アナログビデオ信号を所定の標本化周波数により標本化してから所定のビット長に量子化し、デジタルビデオ信号を生成する。このデジタルビデオ信号は、符号化器１０９に供給される。符号化器１０９は、デジタルビデオ信号をＭＰＥＧ２に基づいて符号化し、ビデオストリームを生成し、さらにＰＥＳパケットを生成する。
【００１６】
そして、符号化器１０４でオーディオストリームから生成されたＰＥＳパケットは一旦遅延バッファ１０５に入力される。また、符号化器１０９でビデオストリームから生成されたＰＥＳパケットも一旦遅延バッファ１１０に入力される。遅延バッファ１０５及び遅延バッファ１１０は、多重化器１０６の直前に設けられ、各ＡＤＣのＡＤ変換遅延および各符号化器の符号化遅延、さらには伝送遅延よりなる遅延時間を手動調整するのに用いられる。従来にあっては、特に、筐体１０１内に固定的に設けられた各ＡＤＣ１０３及び１０８のＡＤ変換遅延、各符号器１０４及び１０５の符号化遅延、さらには伝送遅延は固定的に決まっており、各遅延の和を求めることにより補正量を決定することができ、遅延バッファ１０５及び遅延バッファ１１０により遅延時間を調整していた。
【００１７】
多重化器１０６では、遅延バッファ１０５及び遅延バッファ１１０により遅延時間が調整されたオーディオのＰＥＳパケット、ビデオのＰＥＳパケットを多重化する。したがって、伝送信号生成装置１００の出力端子１１１から導出されるトランスポートストリーム内のオーディオパケット、ビデオパケットでは時間的ずれを生じさせない。
【００１８】
【特許文献１】特開平１１−４１１９３号
【発明の開示】
【発明が解決しようとする課題】
【００１９】
しかしながら、上記手法では、あらかじめ使用するＡＤＣのＡＤ変換遅延、および符号化器の符号化遅延を測定し遅延時間を手動で調整する必要がある。従って、ＡＤＣや符号化器を変更する毎に、遅延を測定し手動での調整が必要となる。
【００２０】
本発明は、上記実情に鑑みてなされたものであり、伝送信号生成装置にあって、ＡＤＣや符号化器を変更する毎に復号時間情報のずれを手動で調整することなく、伝送信号受信装置において多重化信号を復調したときに、ビデオ信号とオーディオ信号に時間的ずれを生じさせない伝送信号生成装置の提供を目的とする。
【課題を解決するための手段】
【００２１】
本発明に係る伝送信号生成装置は、上記課題を解決するために、第１のアナログ信号を第１のデジタル信号に変換する第１のアナログ／デジタル変換手段と、上記第１のデジタル信号出力に符号化処理を施して第１の符号化データを生成する第１の符号化手段と、上記第１のアナログ信号とは種類が異なる第２のアナログ信号を第２のデジタル信号に変換する第２のアナログ／デジタル変換手段と、上記第２のデジタル信号出力に符号化処理を施して第２の符号化データを生成する第２の符号化手段と、上記第１の符号化手段からの第１の符号化データと上記第２の符号化手段からの第２の符号化データとを多重化する多重化手段とを備え、上記第１のアナログ／デジタル変換手段に入力した第１のアナログ信号が上記第１の符号化手段からの第１の符号化データとして上記多重化手段に入力するまでの第１の遅延時間と、上記第２のアナログ／デジタル変換手段に入力した第２のアナログ信号が上記第２の符号化手段からの第２の符号化データとして上記多重化手段に入力するまでの第２の遅延時間との遅延時間差に基づいて、上記多重化手段は復号時間情報のずれを自動調整する。
【００２２】
本発明の伝送信号生成装置にあっては、多重化手段が第１の遅延時間と第２の遅延時間との遅延時間差に基づいて復号時間情報のずれを自動調整する。
【発明の効果】
【００２３】
本発明に係る伝送信号生成装置は、多重化手段が第１の遅延時間と第２の遅延時間との遅延時間差に基づいて復号時間情報のずれを自動調整するので、ＡＤＣや符号化器を変更する毎に復号時間情報のずれを手動で調整することなく、伝送信号受信装置において多重化信号を復調したときに、ビデオ信号とオーディオ信号に時間的ずれを生じさせない。
【発明を実施するための最良の形態】
【００２４】
以下、図面を参照しながら本発明の実施の最良の形態について説明する。先ず、第１の実施の形態の伝送信号生成装置について説明する。図１は第１の実施の形態の伝送信号生成装置の構成を示す図である。アナログオーディオ信号をデジタルオーディオ信号に、またアナログビデオ信号をデジタルビデオ信号に変換し、さらにデジタルオーディオ信号を符号化し、またデジタルビデオ信号を符号化してから、符号化オーディオ信号と符号化ビデオ信号を多重化して、伝送信号を生成している。
【００２５】
図１において、アナログオーディオ信号Ａinは、入力端子２から切り替えスイッチ３、及び入力接続部４ａを介してＡＤＣ４に供給される。ＡＤＣ４は、アナログオーディオ信号Ａinを所定の標本化周波数により標本化してから所定のビット長に量子化し、デジタルオーディオ信号を生成する。このデジタルオーディオ信号は、ＡＤＣ４の出力接続部４ｂからケーブル１８及び入力接続部５ａを介して符号化器５に供給される。符号化器５は、デジタルオーディオ信号をＭＰＥＧに基づいて符号化し、オーディオストリームを生成し、さらにＰＥＳパケットを生成する。オーディオＰＥＳパケットは、符号化器５の出力接続部５ｂからケーブル１９、及び入力接続部１０ａを介して多重化器１０に供給される。
【００２６】
アナログビデオ信号Ｖinは、入力端子６から切り替えスイッチ７、及び入力接続部８ａを介してＡＤＣ８に供給される。ＡＤＣ８は、アナログビデオ信号Ｖinを所定の標本化周波数により標本化してから所定のビット長に量子化し、デジタルビデオ信号を生成する。このデジタルビデオ信号は、ＡＤＣ８の出力接続部８ｂからケーブル２０及び入力接続部９ａを介して符号化器９に供給される。符号化器９は、デジタルビデオ信号をＭＰＥＧ２に基づいて符号化し、ビデオストリームを生成し、さらにＰＥＳパケットを生成する。ビデオＰＥＳパケットは、符号化器９の出力接続部９ｂからケーブル２１、及び入力接続部１０ｂを介して多重化器１０に供給される。
【００２７】
多重化器１０では、入力接続部１０ａから入力されたオーディオのＰＥＳパケットと、入力接続部１０ｂから入力されたビデオのＰＥＳパケットを多重化し、伝送信号であるトランスポートストリームを生成して出力端子１１から図示しない送信部に供給する。
【００２８】
伝送信号生成装置によって生成された伝送信号は、図示しない送信部によって所定の送信処理が施された後、例えばアンテナ、通信衛星を介して伝送信号受信装置に伝送される。また、送信部によって所定の送信処理が施された後、インターネットなどのネットワークを介して伝送信号受信装置に伝送されてもよい。
【００２９】
また、多重化器１０にはオーディオ出力部１２及びビデオ出力部１５が接続されている。オーディオ出力部１２は、多重化器１０内の後述するタイミング発生部によって発生された所定タイミングにしたがって予め定められたオーディオ信号を出力し、スピーカ１３に供給する。ビデオ出力部１５も、多重化器１０内の後述するタイミング発生部によって発生された上記所定タイミングと同じタイミングにしたがって予め定められたビデオ信号を出力し、発光部１６に供給する。
【００３０】
切り替えスイッチ３には上記入力端子２との切り替えが選択されるマイクロホン１４が接続されている。また、切り替えスイッチ７には上記入力端子６との切り替えが選択されるカメラ７が接続されている。マイクロホン１４は、スピーカ１３から空気中に放音された音声を集音し、切り替えスイッチ３及び入力接続部４ａを介してＡＤＣ４に供給する。カメラ１７は、発光部１６によって発せられた光をビデオ信号に変換し、切り替えスイッチ７及び入力接続部８ａを介してＡＤＣ８に供給する。
【００３１】
上述したようにオーディオ出力部１２及びビデオ出力部１５は、同じ所定タイミングで上記オーディオ信号及び上記ビデオ信号を出力するので、スピーカ１３及び発光部１６におけるそれぞれの変換遅延を無視すれば、伝送信号生成装置１には変化点が同一のアナログオーディオ信号とアナログビデオ信号が入力されることになる。
【００３２】
この伝送信号生成装置１は、切り替えスイッチ３及び切り替えスイッチ７が図示しない制御部によって切り替えられ、かつ多重化器１０からの所定タイミングによってオーディオ出力部１２及びビデオ出力部１５が所定のオーディオ信号及びビデオ信号を出力することによって、変化点が同一のアナログオーディオ信号とアナログビデオ信号を、スピーカ１３及びマイクロホン１４、発光部１６及びカメラ１７が入力する。この変化点が同一のアナログオーディオ信号とアナログビデオ信号を用いて、復号時間情報のずれを自動調整する。
【００３３】
つまり、入力接続部４ａを介して入力したアナログオーディオ信号が符号化器５からのＰＥＳパケットデータとして多重化器１０の入力接続部１０ａに入力するまでの第１の遅延時間と、ＡＤＣ８の入力接続部８ａを介して入力したアナログビデオ信号が符号化器９からのＰＥＳパケットデータとして多重化器１０の入力接続部１０ｂに入力するまでの第２の遅延時間との遅延時間差を求め、この遅延時間差に基づいて復号時間情報のずれを自動調整する。
【００３４】
図２は、多重化器１０の構成を示すブロック図である。入力接続部１０ａを介して符号化器５から入力されたオーディオＰＥＳパケットはオーディオデータの変化点を検出する検出部２２及び後述する時間差算出部２４の制御により遅延時間を可変する可変遅延器２５に供給される。また、入力接続部１０ｂを介して符号化器９から入力されたビデオＰＥＳパケットはオーディオデータの変化点を検出する検出部２３及び後述する時間差算出部２４の制御により遅延時間を可変する可変遅延器２６に供給される。
【００３５】
検出部２２はオーディオデータの変化点を検出すると検出変化点情報を時間差算出部２４に供給する。検出部２３はビデオデータの変化点を検出すると検出変化点情報を時間差算出部２４に供給する。なお、図２の検出部２２及び検出部２３は、第１の実施の形態にあっては、オーディオデータの変化点及びビデオデータの変化点を検出するが、後述する第２の実施の形態にあっては、ミュート信号及びカラーバー信号を検出する。また、後述する第３の実施の形態にあっては、オーディオ信号に付加されるウォーターマーク、及びビデオ信号に付加されるウォーターマークを検出する。
【００３６】
時間差算出部２４は、オーディオデータの検出変化点情報とビデオデータの検出変化点情報から変化点が同一とされて入力されたアナログオーディオ信号とアナログビデオ信号が、多重化器１０の入力接続部１０ａ及び１０ｂに到達するまでの遅延時間差を算出する。すなわち、入力接続部４ａを介して入力したアナログオーディオ信号が符号化器５からのＰＥＳパケットデータとして多重化器１０の入力接続部１０ａに入力するまでの第１の遅延時間と、ＡＤＣ８の入力接続部８ａを介して入力したアナログビデオ信号が符号化器９からのＰＥＳパケットデータとして多重化器１０の入力接続部１０ｂに入力するまでの第２の遅延時間との遅延時間差を求める。このとき、時間差算出部２４は、タイミング発生部２７が出力端子２８及び２９を介してオーディオ出力部１２及びビデオ出力部１５に供給するのと同じ所定のタイミング信号が供給される。
【００３７】
可変遅延器２５及び可変遅延器２６は、時間差算出部２４によって算出された上記遅延時間差に基づいてオーディオＰＥＳパケットデータ及びビデオＰＥＳパケットデータの遅延時間を自動的に調整して多重化部３０に供給する。多重化部３０は、可変遅延器２５及び可変遅延器２６により遅延時間が調整されたオーディオのＰＥＳパケット及びビデオのＰＥＳパケットを多重化する。したがって、多重化器１０の出力端子３１から導出されるトランスポートストリーム内のオーディオパケット、ビデオパケットでは時間的ずれを生じさせない。
【００３８】
図示しない制御部は、切り替えスイッチ３及び切り替えスイッチ７と、多重化器１０のタイミング発生部２７を制御して、時間的ずれを調整するモードを実行する。すると、時間差算出部２４で算出された時間差に基づいて可変遅延器２５及び２６が時間ずれを調整する。この時間ずれの調整は、伝送信号再生装置１０に用いる各構成部、例えばＡＤＣ４、符号化器５、ＡＤＣ８、符号化器９が変更されない同じセットであれば、一度調整すれば、頻繁に調整することはない。しかし、湿度、室温などの使用条件が急激に変化したり、季節によって変化するときには、その度に調整してもよい。
【００３９】
また、上記各構成部のうち、いずれか一つ、例えばＡＤＣ４、或いは複数の構成部、符号化器５、符号化器９等を変更する場合は、その度に時間ずれを調整できる。各構成部の変更は、例えばＡＤＣ４であれば、入力接続部４ａ、出力接続部４ｂへのケーブルの接続などを変えれば容易に行える。
【００４０】
以上説明したように、伝送信号生成装置１は、変化点が同一のアナログオーディオ信号及びアナログビデオ信号を同じ所定タイミングで入力し、各ＡＤＣのＡＤ変換遅延および各符号化器の符号化遅延が主要因となる第１の遅延時間と、第２の遅延時間との遅延時間差を求める。多重化器１０は、各ＡＤ変換遅延および各符号化遅延の差異を上記遅延時間差に基づいて可変遅延器２５及び可変遅延器２６が調整する事により各ＡＤ変換遅延および各符号化遅延の差異により生じる復号時間情報のずれを手動で調整する事無く一致させ、復号装置において復調した映像音声信号に時間的ずれを生じさせない。
【００４１】
このとき、多重化器１０は、オーディオ出力部１２及びビデオ出力部１５にタイミング発生部２７から同じ所定タイミングの信号を供給しているので、所定のアナログオーディオ信号、アナログビデオ信号を同じタイミングで大きく変化させる。多重化器１０では各符号化出力信号の変化点を検出する事で各ＡＤＣ４、ＡＤＣ８のＡＤ変換遅延と符号化器５、符号化器９の符号化遅延の総和の時間差を測定する事が可能となり、この測定した時間差を基に各信号に復号時間情報のずれを補正し、各ＡＤ変換遅延と各符号化遅延量のずれを一致させ、復号装置において復調した映像音声信号に時間的ずれを生じさせない事が可能となる。
【００４２】
なお、第１の実施の形態の変形例としては、スピーカ１３、マイクロホン１４、発光部１６及びカメラ１７を用いずに、オーディオ出力部１２から切り替えスイッチ３に所定のオーディオ信号を直接入力すると共にビデオ出力部１５から切り替えスイッチ７に所定のビデオ信号を直接入力するという構成の伝送信号生成装置を挙げることができる。
【００４３】
オーディオ出力部１２とビデオ出力部１５は、同じ所定タイミングで上記オーディオ信号及び上記ビデオ信号を出力するので、伝送信号生成装置１には変化点が同一のアナログオーディオ信号とアナログビデオ信号が入力されることになる。
【００４４】
この第１の実施の形態の変形例でも、変化点が同一のアナログオーディオ信号及びアナログビデオ信号を同じ所定タイミングで入力し、各ＡＤＣのＡＤ変換遅延および各符号化器の符号化遅延が主要因となる第１の遅延時間と、第２の遅延時間との遅延時間差を求める。多重化器１０は、各ＡＤ変換遅延および各符号化遅延の差異を上記遅延時間差に基づいて可変遅延器２５及び可変遅延器２６が調整する事により各ＡＤ変換遅延および各符号化遅延の差異により生じる復号時間情報のずれを手動で調整する事無く一致させ、復号装置において復調した映像音声信号に時間的ずれを生じさせない
さらに、第１の実施の形態の他の変形例としては、オーディオ出力部１２及びビデオ出力部１５から上記モード時にスピーカ１３、マイクロホン１４及び発光部１６、カメラ１７を介して所定のオーディオ信号及び所定のビデオ信号を切り替えスイッチ３及び切り替えスイッチ７に出力し続け、多重化器１０のタイミング発生部２７により、同一タイミングの信号を切り替えスイッチ３及び７に供給し、同一タイミングで切り替えスイッチ３及び７を切り替える構成が挙げられる。
【００４５】
次に、第２の実施の形態の伝送信号生成装置について説明する。図３は第２の実施の形態の伝送信号生成装置の構成を示す図である。この伝送信号生成装置も、第１の実施の形態と同様に、アナログオーディオ信号をデジタルオーディオ信号に、またアナログビデオ信号をデジタルビデオ信号に変換し、さらにデジタルオーディオ信号を符号化し、またデジタルビデオ信号を符号化してから、符号化オーディオ信号と符号化ビデオ信号を多重化して、伝送信号を生成している。したがって、切り替えスイッチ３、ＡＤＣ４、符号化器５、切り替えスイッチ７、ＡＤＣ８、符号化器９及び多重化器１０の接続関係は、第１の実施の形態と同様である。
【００４６】
この第２の実施の形態が第１の実施の形態と異なるのは、図３に示した多重化器１０がオーディオ出力部１２及びビデオ出力部１５にではなく、固定パターン信号の一種であるミュート信号を生成するミュート信号生成器４１及び固定パターン信号の一種でるカラーバー信号を生成するカラーバー信号生成器４２に同じ所定タイミングの信号を供給する構成となっている点である。このため、ミュート信号生成器４１及びカラーバー信号生成器４２が切り替えスイッチ３及び切り替えスイッチ７に同じタイミングでミュート信号及びカラーバー信号を供給する。
【００４７】
この伝送信号生成装置４０は、切り替えスイッチ３及び切り替えスイッチ７が図示しない制御部によって切り替えられ、かつ多重化器１０からの所定タイミングによってミュート信号生成器４１及びカラーバー信号生成器４２が同一タイミングでミュート信号及びカラーバー信号を出力する。この同一タイミングでのミュート信号とカラーバー信号を用いて、復号時間情報のずれを自動調整する。
【００４８】
つまり、入力接続部４ａを介して入力したアナログオーディオ信号が符号化器５からのＰＥＳパケットデータとして多重化器１０の入力接続部１０ａに入力するまでの第１の遅延時間と、ＡＤＣ８の入力接続部８ａを介して入力したアナログビデオ信号が符号化器９からのＰＥＳパケットデータとして多重化器１０の入力接続部１０ｂに入力するまでの第２の遅延時間との遅延時間差を求め、この遅延時間差に基づいて復号時間情報のずれを自動調整する。
【００４９】
図２に示した多重化器１０にあって、時間差算出部２４は、ミュートデータの検出変化点情報とカラーバーデータの検出変化点情報から変化点が同一とされて入力されたミュート信号とカラーバー信号が、多重化器１０の入力接続部１０ａ及び１０ｂに到達するまでの遅延時間差を算出する。すなわち、入力接続部４ａを介して入力したミュート信号が符号化器５からのＰＥＳパケットデータとして多重化器１０の入力接続部１０ａに入力するまでの第１の遅延時間と、ＡＤＣ８の入力接続部８ａを介して入力したカラーバー信号が符号化器９からのＰＥＳパケットデータとして多重化器１０の入力接続部１０ｂに入力するまでの第２の遅延時間との遅延時間差を求める。このとき、時間差算出部２４には、タイミング発生部２７が出力端子２８及び２９を介してミュート信号生成器４１及びカラーバー信号生成器４２に供給するのと同じ所定のタイミング信号が供給される。
【００５０】
可変遅延器２５及び可変遅延器２６は、時間差算出部２４によって算出された上記遅延時間差に基づいてオーディオＰＥＳパケットデータ及びビデオＰＥＳパケットデータの遅延時間を自動的に調整して多重化部３０に供給する。多重化部３０は、可変遅延器２５及び可変遅延器２６により遅延時間が調整されたオーディオのＰＥＳパケット及びビデオのＰＥＳパケットを多重化する。したがって、多重化器１０の出力端子３１から導出されるトランスポートストリーム内のオーディオパケット、ビデオパケットでは時間的ずれを生じさせない。
【００５１】
図示しない制御部は、切り替えスイッチ３及び切り替えスイッチ７と、多重化器１０のタイミング発生部２７を制御して、時間的ずれを調整するモードを実行する。すると、時間差算出部２４で算出された時間差に基づいて可変遅延器２５及び２６が時間ずれを調整する。この時間ずれの調整は、伝送信号再生装置１０に用いる各構成部、例えばＡＤＣ４、符号化器５、ＡＤＣ８、符号化器９が変更されない同じセットであれば、一度調整すれば、頻繁に調整することはない。しかし、湿度、室温などの使用条件が急激に変化したり、季節によって変化するときには、その度に調整してもよい。
【００５２】
また、上記各構成部のうち、いずれか一つ、例えばＡＤＣ４、或いは複数の構成部、符号化器５、符号化器９等を変更する場合は、その度に時間ずれを調整できる。各構成部の変更は、例えばＡＤＣ４であれば、入力接続部４ａ、出力接続部４ｂへのケーブルの接続などを変えれば容易に行える。
【００５３】
以上説明したように、伝送信号生成装置４０は、同一のタイミングで発生されたミュート信号及びカラーバー信号を入力し、各ＡＤＣのＡＤ変換遅延および各符号化器の符号化遅延が主要因となる第１の遅延時間と、第２の遅延時間との遅延時間差を求める。多重化器１０は、各ＡＤ変換遅延および各符号化遅延の差異を上記遅延時間差に基づいて可変遅延器２５及び可変遅延器２６が調整する事により各ＡＤ変換遅延および各符号化遅延の差異により生じる復号時間情報のずれを手動で調整する事無く一致させ、復号装置において復調した映像音声信号に時間的ずれを生じさせない。
【００５４】
このとき、多重化器１０は、ミュート信号生成器４１及びカラーバー信号生成器４２を同じタイミングで発生させているので、同じタイミングでオーディオ信号から所定のミュート信号、ビデオ信号から所定のカラーバー信号に変化させる。多重化器１０では各符号化出力信号の変化点を検出する事で各ＡＤＣ４、ＡＤＣ８のＡＤ変換遅延と符号化器５、符号化器９の符号化遅延の総和の時間差を測定する事が可能となり、この測定した時間差を基に各信号の復号時間情報のずれを補正し、各ＡＤ変換遅延と各符号化遅延量のずれを一致させ、復号装置において復調した映像音声信号に時間的ずれを生じさせない事が可能となる。
【００５５】
なお、第２の実施の形態の変形例としては、オーディオ出力部１２及びビデオ出力部１５に、タイミング発生部２７からの同一タイミングの信号に基づいてミュート信号及びカラーバー信号を発生する構成を挙げることができる。
【００５６】
さらに、第２の実施の形態の他の変形例としては、ミュート信号生成器４１及びカラーバー信号生成器４２から上記モード時に所定のミュート信号及び所定のカラーバー信号をを切り替えスイッチ３及び切り替えスイッチ７に出力し続け、多重化器１０のタイミング発生部２７により、同一タイミングの信号を切り替えスイッチ３及び７に供給し、同一タイミングで切り替えスイッチ３及び７を切り替える構成が挙げられる。
【００５７】
次に、第３の実施の形態の伝送信号生成装置について説明する。図４は第３の実施の形態の伝送信号生成装置５０の構成を示す図である。この伝送信号生成装置も、第１及び第２の実施の形態と同様に、アナログオーディオ信号をデジタルオーディオ信号に、アナログビデオ信号をデジタルビデオ信号に変換し、またデジタルオーディオ信号を符号化し、デジタルビデオ信号を符号化してから、さらに符号化オーディオ信号と符号化ビデオ信号を多重化して、伝送信号を生成している。したがって、切り替えスイッチ３、ＡＤＣ４、符号化器５、切り替えスイッチ７、ＡＤＣ８、符号化器９及び多重化器１０の接続関係は、第１の実施の形態と同様である。
【００５８】
この第３の実施の形態が第１の実施の形態と異なるのは、多重化器１０がオーディオ出力部１２及びビデオ出力部１５にではなく、ウォータマーク付加器５１及びウォーターマーク付加器５２に同じ所定タイミングを与える構成となっている点である。ウォータマーク付加器５１及びウォーターマーク付加器５２には、入力端子２及び入力端子６を介してアナログオーディオ信号及びアナログビデオ信号が供給される。
【００５９】
ウォーターマーク付加器５１は、入力端子２から供給されるアナログオーディオ信号に符号化処理によっても消失しないウォーターマークを付加する。同様に、ウォーターマーク付加器５２は、入力端子６から供給されるアナログビデオ信号に符号化処理によっても消失しないウォーターマークを付加する。このとき、ウォーターマーク付加器５１及びウォーターマーク付加器５２は、図２に示した多重化器１０のタイミング発生部２７から同一の所定タイミングの信号を受けているので、同一タイミングでアナログオーディオ信号及びアナログビデオ信号にウォーターマークを付加する。
【００６０】
多重化器１０の検出部２２及び検出部２３は、ウォーターマーク付加器５１及びウォーターマーク付加器５２によってアナログオーディオ信号及びアナログビデオ信号に付加されたウォーターマーク及びウォーターマークを検出する。このときの検出時間差を時間差算出部２４が算出する。
【００６１】
時間差算出部２４には、タイミング発生部２７が出力端子２８及び２９を介してウォーターマーク付加器５１及びウォーターマーク付加器５２に供給するのと同じ所定のタイミング信号が供給される。
【００６２】
可変遅延器２５及び可変遅延器２６は、時間差算出部２４によって算出された上記遅延時間差に基づいてオーディオＰＥＳパケットデータ及びビデオＰＥＳパケットデータの遅延時間を自動的に調整して多重化部３０に供給する。多重化部３０は、可変遅延器２５及び可変遅延器２６により遅延時間が調整されたオーディオのＰＥＳパケット及びビデオのＰＥＳパケットを多重化する。したがって、多重化器１０の出力端子３１から導出されるトランスポートストリーム内のオーディオパケット、ビデオパケットでは時間的ずれを生じさせない。
【００６３】
以上説明したように、伝送信号生成装置５０は、同一のタイミングで発生されたウォーターマーク信号及びウォーターマーク信号を同じ所定タイミングで入力し、各ＡＤＣのＡＤ変換遅延および各符号化器の符号化遅延が主要因となる第１の遅延時間と、第２の遅延時間との遅延時間差を求める。多重化器１０は、各ＡＤ変換遅延および各符号化遅延の差異を上記遅延時間差に基づいて可変遅延器２５及び可変遅延器２６が調整する事により各ＡＤ変換遅延および各符号化遅延の差異により生じる復号時間情報のずれを手動で調整する事無く一致させ、復号装置において復調した映像音声信号に時間的ずれを生じさせない。
【図面の簡単な説明】
【００６４】
【図１】第１の実施の形態の伝送信号生成装置の構成を示す図である。
【図２】多重化器の構成を示す図である。
【図３】第２の実施の形態の伝送信号生成装置の構成を示す図である。
【図４】第３の実施の形態の伝送信号生成装置の構成を示す図である。
【図５】従来の伝送信号生成装置の構成を示す図である。
【符号の説明】
【００６５】
１，４０，５０  伝送信号生成装置、４  アナログ／デジタルコンバータＡＤＣ、５  符号化器、８  ＡＤＣ、９  符号化器、１０  多重化器、１２  オーディオ出力部、１５  ビデオ出力部
【図１】
2005323303.tif 000003
【図２】
2005323303.tif 000004
【図３】
2005323303.tif 000005
【図４】
2005323303.tif 000006
【図５】
2005323303.tif 000007